(57)【特許請求の範囲】
【請求項１】
各面が開放された中空立方体形状に形成した外枠の内側に、一方向に離隔した少なくとも２つの交差部材よりなる内枠を設け、この内枠の交差部材の各端部を外枠の枠部材の内側に突出したヒレ状部に一体結合したことを特徴とする人工魚礁ブロック。
【発明の詳細な説明】
【技術分野】
【０００１】
本発明は、中空立方体形状で、水中に沈潜して用いる人工魚礁ブロックに関するものである。
【背景技術】
【０００２】
この種の人工魚礁ブロックとしては、図６に示されたものがその一例として知られている。この構成のものは各面が開放された中空立方体形状になっており、一平面方向に対して直交する四隅の柱部材ａ，ｂ，ｃ，ｄのそれぞれの内側で、かつ対角線方向にヒレ部材ｅを突設し、この各ヒレ部材ｅの先端に所定の面積を有する平板部材ｆがヒレ部材ｅに対して直交する姿勢で結合した構成になっている。
【発明の開示】
【発明が解決しようとする課題】
【０００３】
上記した従来の人工魚礁ブロックにあっては、四隅の柱部材ａ，ｂ，ｃ，ｄの中心部にこれと直交する姿勢で平板部材ｆが配置されているため、たまたまこの平板部材ｆが水平となる姿勢で人工魚礁ブロックが水中に沈潜されると、この平板部材が水中で抵抗となり、人工魚礁ブロックが垂直姿勢で沈まず傾斜してしまうことがあり、目標地点へ正しい姿勢で沈潜することができないことがあった。
【０００４】
また、四隅の柱部材ａ，ｂ，ｃ，ｄの内側に設けられる１枚の平板部材ｆが四隅の柱部材と直交する姿勢で配置されていたため、この種の、すなわち中空立方体形状の人工魚礁ブロックの内側の構成が単純になり、魚類、甲殻類の蝟集、幼稚魚の保護、産卵場所の提供という人工魚礁効果を十分発揮することができなかった。
【０００５】
本発明は上記のことに鑑みなされたもので、沈潜時の抵抗が六面方向いずれの方向でももその姿勢に大差なく沈潜を行うことができると共に、魚類、甲殻類の蝟集、幼稚魚の保護等、魚礁ブロック本来の作用効果を得ることができるようにした人工魚礁ブロックを提供することを目的とするものである。
【課題を解決するための手段】
【０００６】
上記目的を達成するために、本発明に係る人工魚礁ブロックは、各面が開放された中空立方体形状に形成した外枠の内側に、一方向に離隔した少なくとも２つの交差部材よりなる内枠を設け、この内枠の交差部材の各端部を外枠の枠部材の内側に突出したヒレ状部に一体結合した構成になっている。
【発明の効果】
【０００７】
本発明に係る人工魚礁ブロックによれば、外枠が、これの各面が開放された中空立方体形状になっていることと、これの内側に設けられる内枠が、一方向に離隔した少なくとも２つの交差部材にて構成されており、さらにこの内枠の交差部材の各端部が外枠の枠部材の内側に突出したヒレ状部に一体結合されていることにより、ブロック内の透水性が六面方向いずれの方向でもよくなって、この人工魚礁ブロックの沈潜を、この沈潜姿勢が水中でずれることなく行うことができる。しかも水平、垂直の両方向の水流に対する刺激面を併せ有し、各方向からの潮流に対してブロック内で渦流を作ることができる。
【０００８】
そして、交差形状の内枠により、魚類の習性に応じた餌料、よりどころ、産卵場等に対する本能を刺激することができると共に、小魚、幼稚魚の生息範囲を作りやすく、陰影効果、餌料材を収納する機能による餌料効果、渦流効果、逃避効果等を得ることができる。
【０００９】
また、乱積み状態で魚礁を造成する場合においても、魚種により、より高い蝟集効果を発揮することができる。
【００１０】
そしてさらに、上記したように、内枠が一方向に離隔した少なくとも２つの交差部材にて構成されていることにより、内枠部において各交差部間にも空間ができ、この空間により小魚の逃避場所を提供でき、上記した魚礁としての効果をより大きくすることができる。
【発明を実施するための最良の形態】
【００１１】
本発明の最良の実施の形態を図１から図５に示した実施例にて説明する。
【実施例】
【００１２】
人工魚礁ブロックＡは各面が開放された中空立方体形状の外枠１と、この外枠１の内側に配置される内枠１０とからなっている。
【００１３】
外枠１は、直交する垂直面とこれに直交する水平面の３方向の各断面形状内にそれぞれ４本ずつ有する枠部材３ａ，３ｂ，３ｃ，３ｄ，４ａ，４ｂ，４ｃ，４ｄ，５ａ，５ｂ，５ｃ，５ｄにて各辺の隅部を構成して各面が開放された中空立方体形状になっている。そして各枠部材３ａ〜３ｄ、４ａ〜４ｄ、５ａ〜５ｄの中間及び各交点部外側に突起６が設けてある。
【００１４】
上記外枠１の内側で、かつ上記直交する一方の平面内における縦方向の４本の枠部材４ａ，４ｂ，４ｃ，４ｄに対向する内側に上記内枠１０が、各端部を各枠部材４ａ，４ｂ，４ｃ，４ｄに一体結合して設けてある。
【００１５】
内枠１０は平面形状が交差形状になっている。そしてこの内枠１０は、ヒレ状部９を内側へ突出した枠部材４ａ，４ｂ，４ｃ，４ｄの長さ方向（上下方向）に離隔する２つの交差部材１０ａ，１０ｂからなっていて、この両交差部材１０ａ，１０ｂは、各枠部材４ａ，４ｂ，４ｃ，４ｄの各ヒレ状部９の先端に一体状に接合されている。この内枠１０の交差部材１０ａ，１０ｂは、上記枠部材４ａ，４ｂ，４ｃ，４ｄのヒレ状部９と共に外枠１と一体成形されている。なお両交差部材１０ａ，１０ｂのそれぞれの交差部は、各交差部材１０ａ，１０ｂの強度を保持するためにボス状となって平面方向に若干大きくなっている。なお、上記交差部材１０ａ，１０ｂは２つ以上であってもよい。
【００１６】
上記のように構成された人工魚礁ブロックＡは１個ずつ整然と、あるいは乱積み状態で水底に沈潜して積み重ねて用いられる。
【００１７】
この人工魚礁ブロックＡの沈潜時においては、外枠１がこれの各面が開放された中空立方体状のなっており、及びこの外枠１の内側に配置した内枠１０の平面形状が交差形状になっていることにより、この人工魚礁ブロックの沈潜抵抗が、人工魚礁ブロックの沈潜姿勢に影響されることがなくなり、クレーンにて吊り下げた水面上での姿勢を保ったまま水底に沈潜される。
【００１８】
水中での魚礁ブロックＡを透過する潮流は、これの内側において内枠１０にて渦流となる。
【図面の簡単な説明】
【００１９】
【図１】本発明の実施例における魚礁ブロックを示す平面図である。
【図２】本発明の実施例における魚礁ブロックを示す正面図である。
【図３】図１のＸ−Ｘ断面矢視図である。
【図４】図２のＹ−Ｙ断面矢視図である。
【図５】本発明の実施例における魚礁ブロックを示す斜視図である。
【図６】従来の魚礁ブロックを示す斜視図である。
【符号の説明】
【００２０】
Ａ…人工魚礁ブロック、１…外枠、２ａ，２ｂ…枠片、３ａ〜３ｄ，４ａ〜４ｄ，５ａ〜５ｄ…枠部材、６…突起、９…ヒレ状部、１０…内枠、１０ａ，１０ｂ…交差部材。
【要約】
【課題】沈潜時に姿勢の乱れがなく、また優れた魚礁効果を得ることができるようにする。
【解決手段】各面が開放された中空立方体形状に形成した外枠１の内側に、平面形状を交差形状にした内枠２を、これの各端部を外枠の枠部材に一体結合して設けた構成になっている。
【選択図】図６
【図１】
0003723933.tif 000002
【図２】
0003723933.tif 000003
【図３】
0003723933.tif 000004
【図４】
0003723933.tif 000005
【図５】
0003723933.tif 000006
【図６】
0003723933.tif 000007